(57)【要約】【課題】曲がりやすく、手の動作に容易に追従する野球用またはソフトボール用捕球具を提供する。【解決手段】グローブ１０は、捕球面側の第１の革部材１０ｐ１と、第１の革部材１０ｐ１と対向して配置される第２の革部材と、第１の革部材１０ｐ１と第２の革部材とが捕球面の外周部の一部において接続された接続部２とを備える。接続部２は第１の革部材１０ｐ１と連なり中心軸を有する第１のループ２ａと、中心軸に沿う方向において第１のループ２ａと隣接して配置され、第２の革部材と連なる第２のループ２ｂと、第１のループ２ａと第２のループ２ｂとを中心軸に沿って貫通する紐部材とを含む。第１のループ２ａと第２のループ２ｂとは少なくとも１本の同一の紐部材により貫通される。【選択図】図１
2015066407.tif 000002
【特許請求の範囲】
【請求項１】
捕球面側の第１の革部材と、
前記第１の革部材と対向して配置される第２の革部材と、
前記第１の革部材と前記第２の革部材とが前記捕球面の外周部の一部において接続された接続部とを備え、
前記接続部は
前記第１の革部材と連なり中心軸を有する第１のループと、
前記中心軸に沿う方向において前記第１のループと隣接して配置され、前記第２の革部材と連なる第２のループと、
前記第１のループと前記第２のループとを前記中心軸に沿って貫通する紐部材とを含み、
前記第１のループと前記第２のループとは少なくとも１本の同一の前記紐部材により貫通される、野球用またはソフトボール用捕球具。
【請求項２】
前記第１のループは前記第１の革部材と一体であり、前記第２のループは前記第２の革部材と一体である、請求項１に記載の野球用またはソフトボール用捕球具。
【請求項３】
前記第１のループは前記第１の革部材と別体であり、前記第２のループは前記第２の革部材と別体である、請求項１に記載の野球用またはソフトボール用捕球具。
【請求項４】
前記第１のループは前記第１の革部材と一体であり、前記第２のループは前記第２の革部材と別体であるか、または前記第１のループは前記第１の革部材と別体であり前記第２のループは前記第２の革部材と一体である、請求項１に記載の野球用またはソフトボール用捕球具。
【請求項５】
前記第１のループと前記第１の革部材との厚みが異なり、前記第２のループと前記第２の革部材との厚みが異なる、請求項３に記載の野球用またはソフトボール用捕球具。
【請求項６】
前記接続部は、使用者の手が挿入される手挿入部に設けられる、請求項１〜５のいずれか１項に記載の野球用またはソフトボール用捕球具。
【請求項７】
前記接続部は、使用者の親指を受け入れる部分と使用者の人差指を受け入れる部分との間に設けられたウエブ部に設けられる、請求項１〜６のいずれか１項に記載の野球用またはソフトボール用捕球具。
【請求項８】
前記接続部は、前記外周部において前記手挿入部に隣接する部分に設けられる、請求項１〜７のいずれか１項に記載の野球用またはソフトボール用捕球具。
【発明の詳細な説明】
【技術分野】
【０００１】
この発明は野球用またはソフトボール用捕球具に関し、特に複数の革部材同士の接続部を有する野球用またはソフトボール用捕球具に関する。
【背景技術】
【０００２】
従来から、捕球面側の革部材について、複数（たとえば２枚）の革部材が革紐により接続された構成を有する野球またはソフトボール用捕球具が、たとえば特開２０１２−１９２２０７号公報（特許文献１）に開示されている。特許文献１においては、当該捕球具の捕球面側を構成する２枚の革部材が、使用者の手首を覆う手首部において、その革部材の外周部に沿って延びる外縁部と、当該外縁部の外周部を巻回する革紐とにより接続されている。また使用者の親指を受け入れる部分と使用者の人差指を受け入れる部分との間に設けられたウエブ部の外周部においても手首部と同様に接続されている。
【先行技術文献】
【特許文献】
【０００３】
【特許文献１】特開２０１２−１９２２０７号公報
【発明の概要】
【発明が解決しようとする課題】
【０００４】
しかしながら、特許文献１に示す捕球具は、これを着用した状態で使用者が捕球するために手の平を閉じる動作を行なう際に、上記手首部およびウエブ部の外周部において捕球具が手の動作に追従しにくくなり、曲がりにくくなる。これは上記革部材の外周部を巻回する革紐により、当該外周部が接続されて硬くなるためである。このように捕球具が曲がりにくいと、使用者は当該捕球具を用いた捕球動作が困難になる可能性がある。
【０００５】
本発明は、以上の問題に鑑みなされたものであり、その目的は、曲がりやすく、手の動作に容易に追従する（使いやすい）野球用またはソフトボール用捕球具を提供することである。
【課題を解決するための手段】
【０００６】
本発明の実施の形態に係る野球またはソフトボール用捕球具は、捕球面側の第１の革部材と、第１の革部材と対向して配置される第２の革部材と、第１の革部材と第２の革部材とが捕球面の外周部において接続された接続部とを備える。上記接続部は、第１の革部材と連なり中心軸を有する第１のループと、中心軸に沿う方向において第１のループと隣接して配置され、第２の革部材と連なる第２のループと、第１のループと第２のループとを中心軸に沿って貫通する紐部材とを含む。
【発明の効果】
【０００７】
本発明によれば、接続部において第１の革部材と第２の革部材とが、これらに連なる第１および第２のループと、第１および第２のループの中心軸に沿って貫通する紐部材とにより接続される。このため野球またはソフトボール用捕球具は接続部において、従来の捕球具よりも曲がりやすくなり、使用者の手の動作に容易に追従することができる。
【図面の簡単な説明】
【０００８】
【図１】実施の形態１の捕球具の、使用者の手掌側に配置される捕球面革を含む領域の構成を示す概略図である。
【図２】実施の形態１の捕球具の、使用者の手甲側に配置される手甲革を含む領域の構成を示す概略図である。
【図３】図１および図２のウエブ接続部を構成する、第１のループを含む部材を展開した状態を示す平面図である。
【図４】図１および図２のウエブ接続部を構成する、第２のループを含む部材を展開した状態を示す平面図である。
【図５】ウエブ接続部と一体となった第１のウエブループと、当該ループ内を貫通する紐部材との態様を示す断面図（Ａ）と、ウエブ接続部と一体となった第２のウエブループと、当該ループ内を貫通する紐部材との態様を示す断面図（Ｂ）とである。
【図６】図１および図２の手挿入接続部を構成する、第１のループを含む部材を展開した状態を示す平面図である。
【図７】図１および図２の手挿入接続部を構成する、第２のループを含む部材を展開した状態を示す平面図である。
【図８】捕球面革と一体となった第１の手挿入部ループと、当該ループ内を貫通する紐部材との態様を示す断面図（Ａ）と、手掌革と一体となった第２の手挿入部ループと、当該ループ内を貫通する紐部材との態様を示す断面図（Ｂ）とである。
【図９】比較例の捕球具の、使用者の手掌側に配置される捕球面革を含む領域の構成を示す概略図である。
【図１０】比較例の捕球具の、使用者の手甲側に配置される手甲革を含む領域の構成を示す概略図である。
【図１１】実施の形態２の捕球具の、使用者の手掌側に配置される捕球面革を含む領域の構成を示す概略図である。
【図１２】実施の形態２の捕球具の、使用者の手甲側に配置される手甲革を含む領域の構成を示す概略図である。
【図１３】図１１および図１２のウエブ接続部を構成する、第１のループを含む部材を展開した状態を示す平面図である。
【図１４】図１１および図１２のウエブ接続部を構成する、第２のループを含む部材を展開した状態を示す平面図である。
【図１５】ウエブ接続部と別体となった第１のウエブループと、当該ループ内を貫通する紐部材との態様を示す断面図（Ａ）と、ウエブ接続部と別体となった第２のウエブループと、当該ループ内を貫通する紐部材との態様を示す断面図（Ｂ）とである。
【図１６】図１１および図１２の手挿入接続部を構成する、第１のループを含む部材を展開した状態を示す平面図である。
【図１７】図１１および図１２の手挿入接続部を構成する、第２のループを含む部材を展開した状態を示す平面図である。
【図１８】捕球面革と別体となった第１の手挿入部ループと、当該ループ内を貫通する紐部材との態様を示す断面図（Ａ）と、手掌革と別体となった第２の手挿入部ループと、当該ループ内を貫通する紐部材との態様を示す断面図（Ｂ）とである。
【図１９】実施の形態３の捕球具の、使用者の手掌側に配置される捕球面革を含む領域の構成を示す概略図である。
【図２０】実施の形態３の捕球具の、使用者の手甲側に配置される手甲革を含む領域の構成を示す概略図である。
【図２１】実施の形態４の捕球具の、使用者の手掌側に配置される捕球面革を含む領域の構成を示す概略図である。
【図２２】実施の形態４の捕球具の、使用者の手甲側に配置される手甲革を含む領域の構成を示す概略図である。
【図２３】実施の形態５の捕球具の、使用者の手掌側に配置される捕球面革を含む領域の構成を示す概略図である。
【図２４】実施の形態５の捕球具の、使用者の手甲側に配置される手甲革を含む領域の構成を示す概略図である。
【図２５】実施の形態６の捕球具の、使用者の手掌側に配置される捕球面革を含む領域の構成を示す概略図である。
【図２６】実施の形態６の捕球具の、使用者の手甲側に配置される手甲革を含む領域の構成を示す概略図である。
【図２７】実施の形態７の捕球具の、使用者の手掌側に配置される捕球面革を含む領域の構成を示す概略図である。
【図２８】実施の形態７の捕球具の、使用者の手甲側に配置される手甲革を含む領域の構成を示す概略図である。
【図２９】実施の形態８の捕球具の、使用者の手掌側に配置される捕球面革を含む領域の構成を示す概略図である。
【図３０】実施の形態８の捕球具の、使用者の手甲側に配置される手甲革を含む領域の構成を示す概略図である。
【図３１】実施の形態９の捕球具の、使用者の手掌側に配置される捕球面革を含む領域の構成を示す概略図である。
【図３２】実施の形態９の捕球具の、使用者の手甲側に配置される手甲革を含む領域の構成を示す概略図である。
【図３３】実施の形態１０の捕球具の、使用者の手掌側に配置される捕球面革を含む領域の構成を示す概略図である。
【図３４】実施の形態１０の捕球具の、使用者の手甲側に配置される手甲革を含む領域の構成を示す概略図である。
【図３５】実施の形態１１の第１例の捕球具の、使用者の手掌側に配置される捕球面革を含む領域の構成を示す概略図である。
【図３６】実施の形態１１の第２例の捕球具の、使用者の手掌側に配置される捕球面革を含む領域の構成を示す概略図である。
【図３７】実施の形態１２の捕球具の、使用者の手掌側に配置される捕球面革を含む領域の構成を示す概略図である。
【図３８】図３７の点線で囲んだ領域ＸＸＸＶＩＩＩＡの概略拡大図（Ａ）と、図３７の点線で囲んだ領域ＸＸＸＶＩＩＩＢの概略拡大図（Ｂ）とである。
【発明を実施するための形態】
【０００９】
以下、本発明の実施の形態について図に基づいて説明する。
（実施の形態１）
図１および図２を参照して、本実施の形態の野球用またはソフトボール用捕球具としてのグローブ１０は、手を挿入する使用者の手掌側に配置される手掌側配置革１０ｐと、使用者の手甲側に配置される手甲革１０ｂとを有している。すなわち使用者の手は、手掌側配置革１０ｐと手甲革１０ｂとの間に挿入される。
【００１０】
手掌側配置革１０ｐは、使用者が捕球する側の面（使用者の受ける球が接触する捕球面）を含む捕球面革１０ｐ１と、捕球面革１０ｐ１に対向して配置され、挿入された使用者の手掌部が接触する手掌革１０ｐ２とを含む。捕球面革１０ｐ１と手掌革１０ｐ２とは、外側から巻回される革紐で接続されて手掌側配置革１０ｐとして一体となっている。手掌革１０ｐ２は図２においてその大部分が手甲革１０ｂに覆われるため露出している部分が少ないが、手甲革１０ｂには使用者の手首よりやや指側の手甲部を露出可能とする開口部が形成されており、図２においては開口部を介して手掌革１０ｐ２の一部が露出している。
【００１１】
手掌側配置革１０ｐ（捕球面革１０ｐ１および手掌革１０ｐ２）および手甲革１０ｂはたとえば、合成皮革、天然皮革、人工皮革、その他これらと類似する特性の材質から形成されている。また後述する本実施の形態のグローブ１０を構成する部材の多くは基本的に上記と同様の材質から形成されている。
【００１２】
手掌側配置革１０ｐ（捕球面革１０ｐ１および手掌革１０ｐ２）と手甲革１０ｂとはともに、使用者の指を受け入れ可能な指袋を構成している。具体的には、捕球面革１０ｐ１、手掌革１０ｐ２、手甲革１０ｂのそれぞれは、使用者の親指を受け入れ可能な親指袋ｆ１と、使用者の人差指を受け入れ可能な人差指袋ｆ２と、使用者の中指を受け入れ可能な中指袋ｆ３と、使用者の薬指を受け入れ可能な薬指袋ｆ４と、使用者の小指を受け入れ可能な小指袋ｆ５とを構成している。手掌側配置革１０ｐの各指袋ｆ１〜ｆ５と、手甲革１０ｂの各指袋ｆ１〜ｆ５とがその外周部の一部において一般公知の方法により互いに縫着されることにより、手掌側配置革１０ｐの各指袋ｆ１〜ｆ５と、手甲革１０ｂの各指袋ｆ１〜ｆ５との間に使用者の各指を挿入可能な領域が形成されている。
【００１３】
親指袋ｆ１と人差指袋ｆ２との間にはウエブ部５が設けられており、ウエブ部５は手掌側ウエブ部５ｐと手甲側ウエブ部５ｂとを有している。手掌側ウエブ部５ｐは捕球面革１０ｐ１と同様に使用者が捕球する側の面を含み、手甲側ウエブ部５ｂは手甲革１０ｂと同一方向を向くように配置される。
【００１４】
なお上記のウエブ部５における革紐６と同様の革紐６により、たとえば指袋ｆ２〜ｆ５が互いに結合されている。また手掌側配置革１０ｐと手甲革１０ｂとの外周部のうち、手挿入接続部２（後に詳述）に隣接する手首隣接接続部３，４（手挿入接続部２の延びる方向に対して角度を有する方向に延びる接続部）においては、革紐６が外縁部７の外周部を巻回することにより手掌側配置革１０ｐ（具体的には捕球面革１０ｐ１および手掌革１０ｐ２）と手甲革１０ｂとが接続されている。
【００１５】
ウエブ部５の外周部の一部には、ウエブ接続部１が形成されている。ここで外周部とは、図１および図２に示すグローブ１０の最外縁部（およびその近傍）を意味する。ウエブ接続部１は、ウエブ部５を構成する捕球面側の第１の革部材としての手掌側ウエブ部５ｐと、手掌側ウエブ部５ｐと対向して配置される第２の革部材としての手甲側ウエブ部５ｂとを接続する。捕球面の外周部すなわち手掌側ウエブ部５ｐのうち指袋ｆ１〜ｆ５の先端部に沿う最外縁部にウエブ接続部１（接続部）は位置している。
【００１６】
またグローブ１０は、これを着用する使用者の手が挿入される手挿入部を有している。この手挿入部は、手掌側配置革１０ｐと手甲革１０ｂとに挟まれた領域に手を挿入可能に開口した部分である。言い換えれば手挿入部は、手掌側配置革１０ｐと手甲革１０ｂとのそれぞれの外周部同士が接続されることにより形成される、使用者の手を収納する領域の出入り口に相当する。手挿入部は手掌側配置革１０ｐと手甲革１０ｂとの外周部に形成されるが、手挿入部においては出入り口としての開口を形成するため手掌側配置革１０ｐと手甲革１０ｂとは直接接続されない。
【００１７】
手掌側配置革１０ｐは上記のように捕球面革１０ｐ１と手掌革１０ｐ２とを有しており、捕球面革１０ｐ１の捕球面において捕球されるため、捕球面革１０ｐ１は捕球面側の第１の革部材として配置される。また手掌革１０ｐ２は捕球面革１０ｐ１と対向する第２の革部材として配置され、使用者の手が接触する面を含み手甲革１０ｂとの間に使用者の手を収納する領域を形成する。そして手挿入部においては、捕球面革１０ｐ１と手掌革１０ｐ２とが、その捕球面の外周部すなわち手掌側配置革１０ｐの最外縁部において手挿入接続部２（接続部）により接続されている。
【００１８】
ウエブ接続部１はウエブループ１ａ（第１のループ）およびウエブループ１ｂ（第２のループ）を有し、これらが互いに隣接するように、ウエブ接続部１（グローブ１０の外周部）の延びる方向に沿って交互に配置されている。たとえば本実施の形態においては、ウエブ接続部１の延びる図１の左右方向に沿って、ウエブループ１ｂが５つ並ぶように配置されている。すなわち本実施の形態においては５ピッチのウエブループ１ｂを有している。同様に手挿入接続部２は手挿入部ループ２ａ（第１のループ）および手挿入部ループ２ｂ（第２のループ）を有し、これらが互いに隣接するように、手挿入接続部２（グローブ１０の外周部）の延びる方向に沿って交互に配置されている。なお図２においては手挿入部ループ２ａ，２ｂが視認できるように、波線部の下側の領域については透視するように図示されている。
【００１９】
たとえば本実施の形態においては、手挿入接続部２の延びる図１の左右方向に沿って、手挿入部ループ２ｂが３つ並ぶように配置されている。すなわち本実施の形態においては３ピッチの手挿入部ループ２ｂを有している。次にこのことについて図３〜図８を用いて説明する。まず図３〜図５を用いて、ウエブ接続部１について説明する。
【００２０】
図３を参照して、ウエブ部５の手掌側ウエブ部５ｐと、ウエブ接続部１のウエブループ１ａとは、本実施の形態においては一体になっている。手掌側ウエブ部５ｐにはウエブ開口部５ａとともに、これと他の部材（たとえば親指袋ｆ１および人差指袋ｆ２）とを縫合するための縫合用突起部５ｃ、および革紐６を通すための穴８を含んでもよい。なおここでは説明を容易にするために、ループを形成するための領域１ａ（実際には図３の展開図においてはループは形成されていない）も、図１のように実際に形成されたウエブループ１ａと同様の呼称で表現する。
【００２１】
図４を参照して、ウエブ部５の手甲側ウエブ部５ｂと、ウエブ接続部１のウエブループ１ｂとは、本実施の形態においては一体になっている。手掌側ウエブ部５ｐにはウエブ開口部５ａとともに、これと他の部材とを縫合するための縫合用突起部５ｃ、および革紐６を通すための穴８を含んでもよい。
【００２２】
図３の手掌側ウエブ部５ｐと図４の手甲側ウエブ部５ｂとは平面視においてほぼ同じ形状および同じ大きさを有しており、これらの表面側が互いに背中合わせとなるように重なり合うことにより両者が一体となりウエブ部５が形成される。ここで背中合わせとは、手掌側ウエブ部５ｐの表面は捕球面革１０ｐ１の表面と同じ方向を向くように、手甲側ウエブ部５ｂの表面は手甲革１０ｂの表面と同じ方向を向くように、互いに反対側を向くことを意味する。
【００２３】
ウエブループ１ａは図３の左右方向すなわちウエブ接続部１の延びる方向に関してウエブループ１ａとウエブループ開口部１ａ２とが互いに隣接するように交互に形成されており、これらは図３の上下方向に延びている。したがってウエブループ１ａは図３におけるウエブループ１ａの上下方向１対のループ縫合部１ｄと組み合わさることにより梯子状の形状となるように形成されている。またウエブループ１ｂについてもウエブループ１ａと基本的に同様であり、図４の左右方向すなわちウエブ接続部１の延びる方向に関してウエブループ１ｂとウエブループ開口部１ｂ２とが互いに隣接するように交互に形成されており、これらは図４の上下方向に延びている。したがってウエブループ１ｂは図４におけるウエブループ１ｂの上下方向１対のループ縫合部１ｄと組み合わさることにより梯子状の形状となるように形成されている。
【００２４】
図３の手掌側ウエブ部５ｐと図４の手甲側ウエブ部５ｂとが互いに背中合わせとなるように重なり合ったときに、ウエブループ１ａとウエブループ１ｂとが図の左右方向に関して互いに隣接するように交互に配置される。すなわち図３のウエブループ開口部１ａ２に図４のウエブループ１ｂが配置され、図４のウエブループ開口部１ｂ２に図３のウエブループ１ａが配置されることを可能とする位置に、図３のウエブループ開口部１ａ２および図４のウエブループ開口部１ｂ２が形成されている。
【００２５】
図５（Ａ）はたとえば図１のＶＡ−ＶＡ線に沿う部分の概略断面図である。図５（Ａ）を参照して、図３の手掌側ウエブ部５ｐとウエブループ１ａとが一体に連なった構造においては、たとえば図３のループ端部１ｅがウエブループ１ａの下側のウエブ縫合部１ｄと重なりウエブループ１ａの上下のそれぞれに隣り合う１対のループ縫合部１ｄ同士が重なり合って縫合されるように、環状の断面形状を有するループが形成される。このループ１ａが図１のウエブループ１ａに相当する。
【００２６】
なお図５（Ａ）においては図の右側が捕球面革１０ｐ１側であり、図の左側が手甲革１０ｂ側である。このためウエブループ１ａの右下側にはこれと一体として連なる手掌側ウエブ部５ｐが図の下方向に延びており、手掌側ウエブ部５ｐと対向するように、手甲側ウエブ部５ｂが図の下方向に延びている。また図５（Ａ）においては説明の便宜のためウエブループ１ａが図の左右方向に広がり下方の手掌側ウエブ部５ｐと手甲側ウエブ部５ｂとの間に間隔があるが、手掌側ウエブ部５ｐと手甲側ウエブ部５ｂとは密着していてもよい。図示されないより下方の領域においてはこれらは互いに背中合わせとなるように（ウエブ開口部５ａの革紐６などにより）接続されている。
【００２７】
図５（Ｂ）はたとえば図１のＶＢ−ＶＢ線に沿う部分の概略断面図である。いったん図５（Ｂ）を参照して、基本的に図５（Ａ）と同様に、図４の手甲側ウエブ部５ｂとウエブループ１ｂとが一体に連なった構造においては、たとえば図４のループ端部１ｅがウエブループ１ｂの下側のウエブ縫合部１ｄと重なりウエブループ１ｂの上下のそれぞれに隣り合う１対のループ縫合部１ｄ同士が重なり合って縫合されるように、環状の断面形状を有するループが形成される。このループ１ｂが図１のウエブループ１ｂに相当する。
【００２８】
図５（Ｂ）においても図の右側が捕球面革１０ｐ１側であり、図の左側が手甲革１０ｂ側である。このためウエブループ１ｂの左下側にはこれと一体として連なる手甲側ウエブ部５ｂが図の下方向に延びており、手甲側ウエブ部５ｂと対向するように、手掌側ウエブ部５ｐが図の下方向に延びている。また図５（Ｂ）においては説明の便宜のためウエブループ１ｂが図の左右方向に広がり下方の手掌側ウエブ部５ｐと手甲側ウエブ部５ｂとの間に間隔があるが、手掌側ウエブ部５ｐと手甲側ウエブ部５ｂとは密着していてもよい。図示されないより下方の領域においてはこれらは互いに背中合わせとなるように（ウエブ開口部５ａの革紐６などにより）接続されている。
【００２９】
再度図５（Ａ）、（Ｂ）を参照して、図５（Ａ）のウエブループ１ａと、図５（Ｂ）のウエブループ１ｂとは、図の紙面奥行き方向すなわち図１の左右方向に関して交互に、互いに隣接するように複数並ぶ。これにより図５（Ａ）のウエブループ１ａと図５（Ｂ）のウエブループ１ｂとはこれらの図の紙面奥行き方向に延びる中心軸を共有するように互いに重なり合う。そしてウエブループ１ａおよびウエブループ１ｂ内の穴部を、上記中心軸に沿うように貫通する紐部材としてのループ貫通紐９により、複数のウエブループ１ａを含む部材と、複数のウエブループ１ｂを含む部材とが接続される。こうして複数のウエブループ１ａと複数のウエブループ１ｂと、ループ貫通紐９とによりウエブ接続部１が形成される。
【００３０】
以上のように、互いに反対方向を向く手掌側ウエブ部５ｐと手甲側ウエブ部５ｂとのそれぞれから延びるウエブループ１ａとウエブループ１ｂとが交互に隣接するように並び、これらのループ１ａ，１ｂ共通の中心軸に沿って貫通するループ貫通紐９により接続されている。
【００３１】
ウエブループ１ａとウエブループ１ｂとは少なくとも１本（２本以上であってもよい）の同一のループ貫通紐９が貫通することにより互いに接続されている。
【００３２】
次に図６〜図８を参照して、手挿入接続部２について説明する。
図６を参照して、手掌側配置革１０ｐの捕球面革１０ｐ１と、手挿入部を構成する手挿入部ループ２ａとは、本実施の形態においては一体になっている。捕球面革１０ｐ１には革紐６を通すための穴８を含んでもよい。また親指袋ｆ１と人差指袋ｆ２との間にはウエブ部５を設けるための間隔が確保されている。なおここでは説明を容易にするために、指袋を形成するための領域ｆ１〜ｆ５（実際には図６の展開図においては指袋は形成されていない）も、図１のように実際に形成された指袋ｆ１〜ｆ５と同様の呼称で表現する。
【００３３】
図７を参照して、手掌側配置革１０ｐの手掌革１０ｐ２と、手挿入部を構成する手挿入部ループ２ｂとは、本実施の形態においては一体になっている。捕球面革１０ｐ１には革紐６を通すための穴８を含んでもよい。
【００３４】
図６の捕球面革１０ｐ１と図７の手掌革１０ｐ２とは、若干の差異はあるものの平面視においてほぼ同じ形状および同じ大きさを有しており、これらの表面側が互いに背中合わせとなるように重なり合うことにより両者が一体となり手掌側配置革１０ｐが形成される。すなわち捕球面革１０ｐ１の表面はグローブ１０を着用した使用者の手掌部と同じ方向を向くように、手掌革１０ｐ２の表面はグローブ１０を着用した使用者の手甲部と同じ方向を向くように、互いに反対側を向くように接続される。
【００３５】
手挿入部ループ２ａは図６の左右方向すなわち手挿入接続部２の延びる方向に関して手挿入部ループ２ａと手挿入部ループ開口部２ａ２とが互いに隣接するように交互に形成されており、これらは概ね図６の上下方向に延びている。したがって手挿入部ループ２ａは図６における手挿入部ループ２ａの上側を延びるループ縫合部２ｄと組み合わさることにより櫛状の形状となるように形成されている。また手挿入部ループ２ｂについても手挿入部ループ２ａと基本的に同様であり、図７の左右方向すなわち手挿入接続部２の延びる方向に関して手挿入部ループ２ｂと手挿入部ループ開口部２ｂ２とが互いに隣接するように交互に形成されており、これらは図７の上下方向に延びている。したがって手挿入部ループ２ｂは図７における手挿入部ループ２ｂの上側を延びるループ縫合部２ｄと組み合わさることにより櫛状の形状となるように形成されている。
【００３６】
手挿入接続部２においてもウエブ接続部１と同様に、図６の捕球面革１０ｐ１と図７の手掌革１０ｐ２とが互いに背中合わせとなるように重なり合ったときに、手挿入部ループ２ａと手挿入部ループ２ｂとが図の左右方向に関して互いに隣接するように交互に配置される。すなわち図６の手挿入部ループ開口部２ａ２に図７の手挿入部ループ２ｂが配置され、図７の手挿入部ループ開口部２ｂ２に図６の手挿入部ループ２ａが配置されることを可能とする位置に、図６の手挿入部ループ開口部２ａ２および図７の手挿入部ループ開口部２ｂ２が形成されている。
【００３７】
図８（Ａ）はたとえば図１のＶＩＩＩＡ−ＶＩＩＩＡ線に沿う部分の概略断面図である。図８（Ａ）を参照して、基本的に図５（Ａ）と同様であるが、図６の捕球面革１０ｐ１と手挿入部ループ２ａとが一体に連なった構造においては、たとえば図６のループ端部２ｅの近傍が手挿入部ループ２ａの上側のループ縫合部２ｄと重なるように縫合されるように、環状の断面形状を有するループが形成される。このループ２ａが図１の手挿入部ループ２ａに相当する。
【００３８】
なお図８（Ａ）においては図の右側が捕球面革１０ｐ１側であり、図の左側が手甲革１０ｂ側である。このため手挿入部ループ２ａの右上側にはこれと一体として連なる捕球面革１０ｐ１が図の上方向に延びており、捕球面革１０ｐ１と対向するように、手掌革１０ｐ２が図の上方向に延びている。また図８（Ａ）においては説明の便宜のため手挿入部ループ２ａが図の左右方向に広がり上方の捕球面革１０ｐ１と手掌革１０ｐ２との間に間隔があるが、捕球面革１０ｐ１と手掌革１０ｐ２とは密着していてもよい。図示されないより上方の領域においてはこれらは互いに背中合わせとなるように（外縁部７などにより）接続されている。
【００３９】
図８（Ｂ）はたとえば図１のＶＩＩＩＢ−ＶＩＩＩＢ線に沿う部分の概略断面図である。いったん図８（Ｂ）を参照して、基本的に図８（Ａ）と同様に、図７の手掌革１０ｐ２と手挿入部ループ２ｂとが一体に連なった構造においては、たとえば図７のループ端部２ｅが手挿入部ループ２ｂの上側のループ縫合部２ｄと重なるように縫合されるように、環状の断面形状を有するループが形成される。このループ２ｂが図１の手挿入部ループ２ｂに相当する。
【００４０】
図８（Ｂ）においても図の右側が捕球面革１０ｐ１側であり、図の左側が手甲革１０ｂ側である。このため手挿入部ループ２ｂの左上側にはこれと一体として連なる手掌革１０ｐ２が図の上方向に延びており、手掌革１０ｐ２と対向するように、捕球面革１０ｐ１が図の上方向に延びている。また図８（Ｂ）においては説明の便宜のため手挿入部ループ２ｂが図の左右方向に広がり上方の捕球面革１０ｐ１と手掌革１０ｐ２との間に間隔があるが、捕球面革１０ｐ１と手掌革１０ｐ２とは密着していてもよい。図示されないより上方の領域においてはこれらは互いに背中合わせとなるように（外縁部７などにより）接続されている。
【００４１】
再度図８（Ａ）、（Ｂ）を参照して、図８（Ａ）の手挿入部ループ２ａと、図８（Ｂ）の手挿入部ループ２ｂとは、図の紙面奥行き方向すなわち図１の左右方向に関して交互に、互いに隣接するように複数並ぶ。これにより図８（Ａ）の手挿入部ループ２ａと図８（Ｂ）の手挿入部ループ２ｂとはこれらの図の紙面奥行き方向に延びる中心軸を共有するように互いに重なり合う。そして手挿入部ループ２ａおよび手挿入部ループ２ｂ内の穴部を、上記中心軸に沿うように貫通するループ貫通紐９により、複数の手挿入部ループ２ａを含む部材と、複数の手挿入部ループ２ｂを含む部材とが接続される。こうして複数の手挿入部ループ２ａと手挿入部ループ２ｂと、ループ貫通紐９とにより手挿入接続部２が形成される。
【００４２】
以上のように、互いに反対方向を向く捕球面革１０ｐ１と手掌革１０ｐ２とのそれぞれから延びる手挿入部ループ２ａと手挿入部ループ２ｂとが交互に隣接するように並び、これらのループ２ａ，２ｂ共通の中心軸に沿って貫通するループ貫通紐９により接続されている。
【００４３】
手挿入部ループ２ａと手挿入部ループ２ｂとは少なくとも１本（２本以上であってもよい）の同一のループ貫通紐９が貫通することにより互いに接続されている。
【００４４】
次に、本実施の形態の作用効果について説明する。
図９および図１０を参照して、本発明の比較例においては、本実施の形態のウエブ接続部１および手挿入接続部２に相当する領域は、他の領域と同様の構成を有している。すなわち、ウエブ接続部１において手掌側ウエブ部５ｐと手甲側ウエブ部５ｂとがウエブループ１ａ，１ｂにより接続されているのではなく、１枚の皮革を折り返した上端部に一定間隔ごとに図示されない穿孔を設け、当該穿孔に細い革紐６が挿通されている。当該細い革紐６が穿孔と上端外面との間を螺旋状に巻着されている。手挿入接続部２においても同様である。
【００４５】
なお、これ以外の本実施の形態の構成は、図１および図２に示す実施の形態１の構成とほぼ同じであるため同一の要素については同一の符号を付し、その説明は繰り返さない。
【００４６】
ウエブ接続部１および手挿入接続部２は、基本的に使用者が捕球する際に最も大きく屈曲する領域である。しかしながらこれらの領域において、捕球面側の第１の革部材とそれに対向する第２の革部材とが上記の比較例のように巻回された革紐により接続されれば、当該接続部が固くなって曲がりにくくなる。
【００４７】
そこで本実施の形態のウエブ接続部１および手挿入接続部２のように、接続しようとする互いに対向する第１および第２の革部材が、これらの革部材のそれぞれに連なる第１および第２のループを有し、第１および第２のループの双方の共通の中心軸に沿って貫通する紐部材（ループ貫通紐９）によって接続される接続部を設ける。このようにすれば、これらの接続部１，２は、比較例に比べて該当部分が曲がりやすくなり、手の動作に容易に追従させることができる。したがってより小さな力でグローブ１０を屈曲させることができるため、捕球動作をより容易に行なうことができる。
【００４８】
ウエブループ１ａとウエブループ１ｂとが同一のループ貫通紐９により貫通されるため、たとえばウエブループ１ａとウエブループ１ｂとが別個のループ貫通紐９により貫通される場合よりもウエブループ１ａおよびウエブループ１ｂをより柔軟に曲げやすくすることができる。
【００４９】
また本実施の形態においては、図３、図４、図６および図７に示すように、第１のループが第１の革部材と一体であり、第２のループが第２の革部材と一体である。このためたとえばこれらを別体として形成する場合に比べて工程をより簡略化することができる。
【００５０】
（実施の形態２）
図１１および図１２を参照して、本実施の形態の野球用またはソフトボール用捕球具としてのグローブ１０は、図１および図２に示す実施の形態１の構成と比較して、ウエブ部５とウエブ接続部１との接続、および手掌側配置革１０ｐと手挿入接続部２との接続において異なっている。具体的には、本実施の形態においては、ウエブ部５とウエブ接続部１とは別体として接続されており、手掌側配置革１０ｐと手挿入接続部２とも別体として接続されている。本実施の形態はこの点において、ウエブ部５とウエブ接続部１と、および手掌側配置革１０ｐと手挿入接続部２とが一体として接続されている実施の形態１と異なっている。
【００５１】
図１３を参照して、ウエブ部５の手掌側ウエブ部５ｐと、ウエブ接続部１のウエブループ１ａとは、本実施の形態においては別体となっている。しかしそれ以外の点においては基本的に図３の実施の形態１と同様であり、本実施の形態のウエブループ１ａおよび手掌側ウエブ部５ｐを展開したものは、基本的に実施の形態１のウエブループ１ａおよび手掌側ウエブ部５ｐを展開したものと同じ形状、サイズである。
【００５２】
図１４を参照して、ウエブ部５の手甲側ウエブ部５ｂと、ウエブ接続部１のウエブループ１ｂとは、本実施の形態においては別体となっている。しかしそれ以外の点においては基本的に図４の実施の形態１と同様であり、本実施の形態のウエブループ１ｂおよび手甲側ウエブ部５ｂを展開したものは、基本的に実施の形態１のウエブループ１ｂおよび手甲側ウエブ部５ｂを展開したものと同じ形状、サイズである。
【００５３】
図１５（Ａ）はたとえば図１１のＸＶＡ−ＸＶＡ線に沿う部分の概略断面図である。図１５（Ａ）を参照して、図１３の手掌側ウエブ部５ｐとウエブループ１ａとが別体として互いに連なった構造においては、たとえばウエブループ１ａの上下のそれぞれに隣り合う１対のループ縫合部１ｄのうち一方が、手掌側ウエブ部５ｐのウエブ縫合部５ｄの一部と重なりあうように縫合される。なおウエブループ１ａの厚みｔ1は手掌側ウエブ部５ｐの厚みｔ2とは異なっていてもよい。
【００５４】
そしてたとえば図１３の１対のループ端部１ｅのうち一方が、他方のループ端部１ｅの近傍のループ縫合部１ｄと重なり、１対のループ縫合部１ｄ同士が重なり合って縫合されるように、環状の断面形状を有するループが形成され、ループ内をループ貫通紐９が貫通する。よって基本的に図１５（Ａ）は、手掌側ウエブ部５ｐとループ縫合部１ｄとが部分的に重なりあう点を除き、図５（Ａ）と同様の構成である。
【００５５】
図１５（Ｂ）はたとえば図１１のＸＶＢ−ＸＶＢ線に沿う部分の概略断面図である。図１５（Ｂ）を参照して、図１４の手甲側ウエブ部５ｂとウエブループ１ｂとが別体として互いに連なった構造においては、たとえばウエブループ１ｂの上下のそれぞれに隣り合う１対のループ縫合部１ｄのうち一方が、手甲側ウエブ部５ｂのウエブ縫合部５ｄの一部と重なりあうように縫合される。なおウエブループ１ｂの厚みｔ1は手甲側ウエブ部５ｂの厚みｔ2とは異なっていてもよい。
【００５６】
そしてたとえば図１４の１対のループ端部１ｅのうち一方が、他方のループ端部１ｅの近傍のループ縫合部１ｄと重なり、１対のループ縫合部１ｄ同士が重なり合って縫合されるように、環状の断面形状を有するループが形成され、ループ内をループ貫通紐９が貫通する。よって基本的に図１５（Ｂ）は、手甲側ウエブ部５ｂとループ縫合部１ｄとが部分的に重なりあう点を除き、図５（Ｂ）と同様の構成である。
【００５７】
図１６を参照して、手掌側配置革１０ｐの捕球面革１０ｐ１と、手挿入部を構成する手挿入部ループ２ａとは、本実施の形態においては別体になっている。しかしそれ以外の点においては基本的に図６の実施の形態１と同様であり、本実施の形態の手挿入部ループ２ａおよび捕球面革１０ｐ１を展開したものは、基本的に実施の形態１の手挿入部ループ２ａおよび捕球面革１０ｐ１を展開したものと同じ形状、サイズである。
【００５８】
図１７を参照して、手掌側配置革１０ｐの手掌革１０ｐ２と、手挿入部を構成する手挿入部ループ２ｂとは、本実施の形態においては別体になっている。しかしそれ以外の点においては基本的に図７の実施の形態１と同様であり、本実施の形態の手挿入部ループ２ｂおよび手掌革１０ｐ２を展開したものは、基本的に実施の形態１の手挿入部ループ２ｂおよび手掌革１０ｐ２を展開したものと同じ形状、サイズである。
【００５９】
図１８（Ａ）はたとえば図１１のＸＶＩＩＩＡ−ＸＶＩＩＩＡ線に沿う部分の概略断面図である。図１８（Ａ）を参照して、図１６の捕球面革１０ｐ１と手挿入部ループ２ａとが別体として互いに連なった構造においては、たとえば手挿入部ループ２ａと隣り合う位置のループ縫合部２ｄが、捕球面革１０ｐ１の捕球面縫合部１０ｄと重なりあうように縫合される。なお手挿入部ループ２ａの厚みｔ1は捕球面革１０ｐ１の厚みｔ2より厚いことが好ましい。
【００６０】
そしてたとえば図１６の１対のループ端部２ｅのうち一方（手挿入部ループ２ａの先端部に相当する図１６の下側のループ端部２ｅ）が、他方のループ端部２ｅの近傍の捕球面縫合部１０ｄと縫合されるように（ループ縫合部と重なりあうように）、環状の断面形状を有するループが形成され、ループ内をループ貫通紐９が貫通する。よって基本的に図１８（Ａ）は、捕球面革１０ｐ１とループ縫合部２ｄとが部分的に重なりあう点を除き、図８（Ａ）と同様の構成である。
【００６１】
図１８（Ｂ）はたとえば図１１のＸＶＩＩＩＢ−ＸＶＩＩＩＢ線に沿う部分の概略断面図である。図１８（Ｂ）を参照して、図１７の手掌革１０ｐ２と手挿入部ループ２ｂとが別体として互いに連なった構造においては、たとえば手挿入部ループ２ｂと隣り合う位置のループ縫合部２ｄが、手掌革１０ｐ２の捕球面縫合部１０ｄと重なりあうように縫合される。なお手挿入部ループ２ｂの厚みｔ1は手掌革１０ｐ２の厚みｔ2より厚いことが好ましい。
【００６２】
そしてたとえば図１７の１対のループ端部２ｅのうち一方（手挿入部ループ２ｂの先端部に相当する図１６の下側のループ端部２ｅ）が、他方のループ端部２ｅの近傍の捕球面縫合部１０ｄと縫合されるように（ループ縫合部と重なりあうように）、環状の断面形状を有するループが形成され、ループ内をループ貫通紐９が貫通する。よって基本的に図１８（Ｂ）は、手掌革１０ｐ２とループ縫合部２ｄとが部分的に重なりあう点を除き、図８（Ｂ）と同様の構成である。
【００６３】
なお、これ以外の本実施の形態の構成は、図１および図２に示す実施の形態１の構成とほぼ同じであるため同一の要素については同一の符号を付し、その説明は繰り返さない。
【００６４】
次に、本実施の形態の作用効果について説明する。
本実施の形態においては、実施の形態１の作用効果に加え、図１３、図１４、図１６および図１７に示すように、第１のループが第１の革部材と別体であり、第２のループが第２の革部材と別体である。このため図１８に示すように第１のループを第１の革部材と異なる厚みとすることができ、かつ第２のループを第２の革部材と異なる厚みとすることができる。たとえば（第１または第２の）ループを（第１または第２の）革部材よりも厚くすれば、当該部分の耐久性が向上し、逆にたとえば（第１または第２の）ループを（第１または第２の）革部材よりも薄くすれば、当該部分が曲がりやすくなる。
【００６５】
（実施の形態３）
図１９および図２０を参照して、本実施の形態のグローブ１０は、図１および図２に示す実施の形態１の構成（革部材とループとが一体）と比較して、ウエブ接続部１の構成において異なっている。具体的には、ウエブ接続部１において手掌側ウエブ部５ｐと手甲側ウエブ部５ｂとがウエブループ１ａ，１ｂにより接続されているのではなく、１枚の皮革を折り返した上端部に一定間隔ごとに図示されない穿孔を設け、当該穿孔に細い革紐６が挿通されている。当該細い革紐６が穿孔と上端外面との間を螺旋状に巻着されている。言い換えれば本実施の形態においては、手挿入接続部２のみ手挿入部ループ２ａ，２ｂにより接続されている。このような態様を有していてもよい。
【００６６】
（実施の形態４）
図２１および図２２を参照して、本実施の形態のグローブ１０は、図１１および図１２に示す実施の形態２の構成（革部材とループとが別体）と比較して、ウエブ接続部１の構成において異なっている。具体的には、ウエブ接続部１において手掌側ウエブ部５ｐと手甲側ウエブ部５ｂとがウエブループ１ａ，１ｂにより接続されているのではなく、１枚の皮革を折り返した上端部に一定間隔ごとに図示されない穿孔を設け、当該穿孔に細い革紐６が挿通されている。当該細い革紐６が穿孔と上端外面との間を螺旋状に巻着されている。つまりここでのウエブ接続部１の接続態様は、実施の形態３と同様であり、手挿入接続部２のみ手挿入部ループ２ａ，２ｂにより接続されている。このような態様を有していてもよい。
【００６７】
（実施の形態５）
図２３および図２４を参照して、本実施の形態のグローブ１０は、図１および図２に示す実施の形態１の構成（革部材とループとが一体）と比較して、手首隣接接続部３，４の構成において異なっている。具体的には、手首隣接接続部３において、ウエブ接続部１および手挿入接続部２と同様に、手掌側配置革１０ｐ（第１の革部材）と手甲革１０ｂ（第２の革部材）とが手首隣接部ループ３ａ（第１のループ）および手首隣接部ループ３ｂ（第２のループ）、およびこれらのループ内を貫通する図示されないループ貫通紐により接続されている。また手首隣接接続部４においても、ウエブ接続部１および手挿入接続部２と同様に、手掌側配置革１０ｐと手甲革１０ｂとが手首隣接部ループ４ａ，４ｂ、およびこれらのループ内を貫通する図示されないループ貫通紐により接続されている。
【００６８】
本実施の形態においては、手掌側配置革１０ｐと手首隣接部ループ３ａとが一体となっており、手甲革１０ｂと手首隣接部ループ３ｂとが一体となっている。また本実施の形態においては、手掌側配置革１０ｐと手首隣接部ループ４ａとが一体となっており、手甲革１０ｂと手首隣接部ループ４ｂとが一体となっている。
【００６９】
したがって手首隣接接続部３，４における手首隣接部ループ３ａ，３ｂ，４ａ，４ｂの断面の態様は基本的に図５（Ａ）、（Ｂ）に示すウエブ接続部１のループ１ａ，１ｂにおける断面の態様と同様である。ただし手首隣接部ループ３ａ，４ａと一体である手掌側配置革１０ｐは捕球面革１０ｐ１と手掌革１０ｐ２とが重なり合った構成を有しているため、図５（Ａ）における手掌側ウエブ部５ｐに代わる手掌側配置革１０ｐは捕球面革１０ｐ１と手掌革１０ｐ２と手甲革１０ｂとの合計３層を有することになる。
【００７０】
このようにループによる固定部が合計３層を固定する構成であってもよい。この場合も３層のそれぞれの革からループが形成され、それぞれのループを貫通する紐が形成されることによりそれぞれのループ同士が互いに接続される。
【００７１】
なお、これ以外の本実施の形態の構成は、図１および図２に示す実施の形態１の構成とほぼ同じであるため同一の要素については同一の符号を付し、その説明は繰り返さない。
【００７２】
次に、本実施の形態の作用効果について説明する。
本実施の形態においては、ウエブ接続部１および手挿入接続部２に加え、手首隣接接続部３，４において手首隣接部ループ３ａ，３ｂ，４ａ，４ｂを用いた接続がなされている。このため実施の形態１のように手首隣接接続部３，４が通常の革紐６などにより接続される場合に比べて、手首隣接接続部３，４が曲がりやすくなり、手の動作に容易に追従させることができる。したがってより小さな力でグローブ１０を屈曲させることができるため、捕球動作をより容易に行なうことができる。
【００７３】
（実施の形態６）
図２５および図２６を参照して、本実施の形態のグローブ１０は、図２３および図２４に示す実施の形態５の構成（革部材とループとが一体）と比較して、手首隣接接続部３，４を含む各接続部１，２，３，４において、革部材とループとが別体となっている点において異なっている。
【００７４】
ウエブ接続部１および手挿入接続部２については実施の形態２のグローブ１０と同様である。また手首隣接接続部３，４については、手掌側配置革１０ｐと手首隣接部ループ３ａ，４ａとが別体となっており、手甲革１０ｂと手首隣接部ループ３ｂ，４ｂとが別体となっている。
【００７５】
したがって手首隣接接続部３，４における手首隣接部ループ３ａ，３ｂ，４ａ，４ｂの断面の態様は基本的に図１５（Ａ）、（Ｂ）に示すウエブ接続部１のループ１ａ，１ｂにおける断面の態様と同様である。ただし手首隣接部ループ３ａ，４ａと一体である手掌側配置革１０ｐは捕球面革１０ｐ１と手掌革１０ｐ２とが重なり合った構成を有しているため、図１５（Ａ）における手掌側ウエブ部５ｐに代わる手掌側配置革１０ｐは捕球面革１０ｐ１と手掌革１０ｐ２との２層を有することになる。
【００７６】
なお、これ以外の本実施の形態の構成は、図１および図２に示す実施の形態１の構成とほぼ同じであるため同一の要素については同一の符号を付し、その説明は繰り返さない。
【００７７】
本実施の形態においても実施の形態５と同様に、手首隣接接続部３，４がループにより接続されるため当該部分がより曲がりやすくなる。また実施の形態２と同様に、各接続部１〜４において革部材とループとが別体として形成されるため、たとえばループを革部材よりも厚く形成することにより接続部の強度を向上させることができる。
【００７８】
（実施の形態７）
図２７および図２８を参照して、本実施の形態のグローブ１０は、図１および図２に示す実施の形態１の構成と比較して、ウエブ接続部１および手挿入接続部２におけるウエブループ１ｂおよび手挿入部ループ２ｂのピッチ数が異なっている。具体的には、本実施の形態においては、ウエブループ１ｂが３ピッチ、手挿入部ループ２ｂが５ピッチ並んでいる。
【００７９】
本実施の形態のようにループのピッチ数を任意に変更してもよい。ピッチ数を多くすれば隣り合う同一ループ間の距離が短くなるため、当該接続部をより曲げやすくすることができる。すなわち、たとえば実施の形態１のようにウエブ接続部１のウエブループ１ｂが５ピッチであり手挿入接続部２の手挿入部ループ２ｂが３ピッチである場合に比べて、実施の形態２のようにウエブ接続部１のウエブループ１ｂが３ピッチであり手挿入接続部２の手挿入部ループ２ｂが５ピッチであれば、特に手挿入接続部２の柔軟性を向上させ、手挿入部２を曲げやすくすることができる。
【００８０】
（実施の形態８）
図２９および図３０を参照して、本実施の形態のグローブ１０は、図１および図２に示す実施の形態１の構成と比較して、ウエブ接続部１および手挿入接続部２におけるウエブループ１ｂおよび手挿入部ループ２ｂのピッチ数および互いに隣り合う同一ループ間の距離（ピッチ）が異なっている。
【００８１】
上記の各実施の形態においては、基本的に各接続部１〜４において互いに隣り合う同一ループ間の距離（ピッチ）はほぼ等しいが、本実施の形態においては、互いに隣り合う同一ループ間のピッチを場所によって変更している。特に本実施の形態においては、接続部１，２の延びる図の左右方向に関して中央部におけるピッチは、端部におけるピッチよりも短くなっている。このため図２９および図３０に示す距離Ｄ１は距離Ｄ２よりも短くなっている。またピッチ数は、ウエブ接続部１および手挿入接続部２ともに７ピッチとなっている。
【００８２】
各接続部１，２においては、その延在する方向すなわち図２９の左右方向に関するピッチが短ければ、当該部分の柔軟性が向上し曲げやすくなる。特に各接続部１，２の中央部におけるピッチを短くすれば各接続部１，２をより曲げやすくすることができる。
【００８３】
（実施の形態９）
上記の各実施の形態以外の他の変形例として、図３１および図３２を参照して、グローブ１０はたとえばウエブ接続部１、手挿入接続部２ともにループのピッチ数を３ピッチとし、ウエブ接続部１の延在方向に関する中央部においてウエブループ１ｂのピッチを他の領域より長くしてもよい。
【００８４】
（実施の形態１０）
さらに他の変形例として、図３３および図３４を参照して、グローブ１０はたとえばウエブ接続部１のループを５ピッチ、手挿入接続部２のループを３ピッチとし、手挿入接続部２の延在方向に関する中央部における手挿入部ループ２ｂを他の手挿入部ループ２ｂよりも長くしてもよい。
【００８５】
（実施の形態１１）
さらに他の変形例として、図３５を参照して、ウエブループ１ａと手掌側ウエブ部５ｐとは（ＶＡ−ＶＡ線に沿う部分を示す）図５（Ａ）に示すように一体となっているが、ウエブループ１ｂと手甲側ウエブ部５ｂとは（ＸＶＢ−ＸＶＢ線に沿う部分を示す）図１５（Ｂ）に示すように別体となっていてもよい。同様に、手挿入部ループ２ａと捕球面革１０ｐ１とは（ＶＩＩＩＡ−ＶＩＩＩＡ線に沿う部分を示す）図８（Ａ）に示すように一体となっているが、手挿入部ループ２ｂと手掌革１０ｐ２とは（ＸＶＩＩＩＢ−ＸＶＩＩＩＢ線に沿う部分を示す）図１８（Ｂ）に示すように別体となっていてもよい。このように第１のループは第１の革部材と一体であり、第２のループは第２の革部材と別体であってもよい。
【００８６】
また図３６を参照して、ウエブループ１ａと手掌側ウエブ部５ｐとは（ＸＶＡ−ＸＶＡ線に沿う部分を示す）図１５（Ａ）に示すように別体となっているが、ウエブループ１ｂと手甲側ウエブ部５ｂとは（ＶＢ−ＶＢ線に沿う部分を示す）図５（Ｂ）に示すように一体となっていてもよい。同様に、手挿入部ループ２ａと捕球面革１０ｐ１とは（ＸＶＩＩＩＡ−ＸＶＩＩＩＡ線に沿う部分を示す）図１８（Ａ）に示すように別体となっているが、手挿入部ループ２ｂと手掌革１０ｐ２とは（ＶＩＩＩＢ−ＶＩＩＩＢ線に沿う部分を示す）図８（Ｂ）に示すように一体となっていてもよい。このように第１のループは第１の革部材と別体であり、第２のループは第２の革部材と一体であってもよい。
【００８７】
（実施の形態１２）
さらに他の変形例として、図３７および図３８（Ａ）を参照して、ウエブループ１ａと隣接して配置されるウエブループ１ｂが、ウエブループ１ａとそれに隣り合うウエブループ１ａとの間に挟まれた領域の一部のみに配置されてもよい。
【００８８】
たとえば上記の各実施の形態においては、複数並ぶウエブループ１ａのうちの１つのウエブループ１ａと、これに隣り合うウエブループ１ａとの間隔Ｄ３とほぼ等しい幅を有するように、当該間隔Ｄ３の存在する部分にウエブループ１ｂが配置されている。
【００８９】
これに対して本実施の形態においては、複数並ぶウエブループ１ａのうちの１つのウエブループ１ａと、これに隣り合うウエブループ１ａとの間隔Ｄ３に比べて、当該間隔Ｄ３の存在する部分に配置されるウエブループ１ｂの幅Ｄ４が狭くなっている。このためウエブループ１ａとウエブループ１ｂとの間に間隙１１が形成され、間隙１１においてウエブループ１ａとウエブループ１ｂとを貫通するループ貫通紐９が露出している。このような態様を有していてもよい。
【００９０】
また図３７および図３８（Ｂ）を参照して、手挿入部ループ２ａと隣接して配置される手挿入部ループ２ｂが、手挿入部ループ２ａとそれに隣り合う手挿入部ループ２ａとの間に挟まれた領域の一部のみに配置されてもよい。
【００９１】
たとえば上記の各実施の形態においては、複数並ぶ手挿入部ループ２ａのうちの１つの手挿入部ループ２ａと、これに隣り合う手挿入部ループ２ａとの間隔Ｄ３とほぼ等しい幅を有するように、当該間隔Ｄ３の存在する部分に手挿入部ループ２ｂが配置されている。
【００９２】
これに対して本実施の形態においては、複数並ぶ手挿入部ループ２ａのうちの１つの手挿入部ループ２ａと、これに隣り合う手挿入部ループ２ａとの間隔Ｄ３に比べて、当該間隔Ｄ３の存在する部分に配置される手挿入部ループ２ｂの幅Ｄ４が狭くなっている。このため手挿入部ループ２ａと手挿入部ループ２ｂとの間に間隙１１が形成され、間隙１１において手挿入部ループ２ａと手挿入部ループ２ｂとを貫通するループ貫通紐９が露出している。このような態様を有していてもよい。
【００９３】
上述した実施の形態と一部重複する部分もあるが、本願発明の特徴的な構成を以下に列挙する。
【００９４】
（１）  この発明に従ったグローブ１０は、捕球面側の第１の革部材５ｐ，１０ｐ１，１０ｐと、第１の革部材５ｐ，１０ｐ１，１０ｐと対向して配置される第２の革部材５ｂ，１０ｐ２，１０ｂと、第１の革部材５ｐ，１０ｐ１，１０ｐと第２の革部材５ｂ，１０ｐ２，１０ｂとが捕球面の外周部の一部において接続された接続部１，２，３，４とを備える。接続部１，２，３，４は第１の革部材５ｐ，１０ｐ１，１０ｐと連なり中心軸を有する第１のループ１ａ，２ａ，３ａ，４ａと、中心軸に沿う方向において第１のループ１ａ，２ａ，３ａ，４ａと隣接して配置され、第２の革部材５ｂ，１０ｐ２，１０ｂと連なる第２のループ１ｂ，２ｂ，３ｂ，４ｂと、第１のループ１ａ，２ａ，３ａ，４ａと第２のループ１ｂ，２ｂ，３ｂ，４ｂとを中心軸に沿って貫通する紐部材９とを含む。第１のループ１ａ，２ａ，３ａ，４ａと第２のループ１ｂ，２ｂ，３ｂ，４ｂとは少なくとも１本の同一の紐部材９により貫通される、野球用またはソフトボール用捕球具である。
【００９５】
このようにすれば、接続部１，２，３，４は曲げやすくなり、手の動作に容易に追従させることができる。したがってより小さな力でグローブ１０を屈曲させることができるため、捕球動作をより容易に行なうことができる。
【００９６】
（２）  上記（１）のグローブ１０は、第１のループ１ａ，２ａ，３ａ，４ａは第１の革部材５ｐ，１０ｐ１，１０ｐと一体であり、第２のループ１ｂ，２ｂ，３ｂ，４ｂは第２の革部材５ｂ，１０ｐ２，１０ｂと一体である。
【００９７】
このようにすれば、たとえばこれらを別体として形成する場合に比べて工程をより簡略化することができる。
【００９８】
（３）  上記（１）のグローブ１０は、第１のループ１ａ，２ａ，３ａ，４ａは第１の革部材５ｐ，１０ｐ１，１０ｐと別体であり、第２のループ１ｂ，２ｂ，３ｂ，４ｂは第２の革部材５ｂ，１０ｐ２，１０ｂと別体である。
【００９９】
このようにすれば、たとえば第１のループ１ａ，２ａ，３ａ，４ａを第１の革部材５ｐ，１０ｐ１，１０ｐよりも厚く、第２のループ１ｂ，２ｂ，３ｂ，４ｂを第２の革部材５ｂ，１０ｐ２，１０ｂよりも厚く形成することができる。また（第１または第２の）ループと（第１または第２の）革部材とを別体として形成することにより、たとえば上記ループと上記革部材とを異なる部材により形成することができ、材質の選択の自由度を高めることができる。
【０１００】
（４）  上記（１）のグローブ１０は、第１のループ１ａ，２ａ，３ａ，４ａは第１の革部材５ｐ，１０ｐ１，１０ｐと一体であり、第２のループ１ｂ，２ｂ，３ｂ，４ｂは第２の革部材５ｂ，１０ｐ２，１０ｂと別体であるか、または第１のループ１ａ，２ａ，３ａ，４ａは第１の革部材５ｐ，１０ｐ１，１０ｐと別体であり第２のループ１ｂ，２ｂ，３ｂ，４ｂは第２の革部材５ｂ，１０ｐ２，１０ｂと一体である。
【０１０１】
このようにすれば、たとえば（第１または第２の）ループと（第１または第２の）革部材とを別体にした部分について、たとえば上記ループを上記革部材よりも厚くしたい場合には厚くすることにより、当該部分の耐久性を向上させることができ、上記ループを上記革部材よりも薄くしたい場合には薄くすることにより、当該部分を曲げやすくすることができる。このように必要に応じて必要な部分の厚みを自由に調整することにより、所望の特性を向上させることができる。
【０１０２】
（５）  上記（３）のグローブ１０は、第１のループ１ａ，２ａ，３ａ，４ａと第１の革部材５ｐ，１０ｐ１，１０ｐとの厚みが異なり、第２のループ１ｂ，２ｂ，３ｂ，４ｂと第２の革部材５ｂ，１０ｐ２，１０ｂとの厚みが異なる。
【０１０３】
このようにすれば、たとえば（第１または第２の）ループと（第１または第２の）革部材とを別体にした部分について、たとえば上記ループを上記革部材よりも厚くしたい場合には厚くすることにより、当該部分の耐久性を向上させることができ、上記ループを上記革部材よりも薄くしたい場合には薄くすることにより、当該部分を曲げやすくすることができる。
【０１０４】
このようにすれば、接続部１，２，３，４の強度を向上させることができる。
（６）  上記（１）〜（５）のいずれかのグローブ１０は、接続部２は、使用者の手が挿入される手挿入部に設けられる。
【０１０５】
このようにすれば接続部２を曲げやすくすることにより、使用者の捕球動作をより容易にすることができる。
【０１０６】
（７）  上記（１）〜（６）のいずれかのグローブ１０は、接続部１は、使用者の親指を受け入れる部分と使用者の人差指を受け入れる部分との間に設けられたウエブ部５に設けられる。
【０１０７】
このようにすれば接続部１を曲げやすくすることにより、使用者の捕球動作をより容易にすることができる。
【０１０８】
（８）  上記（１）〜（７）のいずれかのグローブ１０は、接続部３，４は、外周部において手挿入部に隣接する部分に設けられる。
【０１０９】
このようにすれば接続部３，４を曲げやすくすることにより、使用者の捕球動作をより容易にすることができる。
【０１１０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１１】
１  ウエブ接続部、１ａ，１ｂ  ウエブループ、１ｄ，２ｄ  ループ縫合部、１ｅ，２ｅ  ループ端部、２  手挿入接続部、２ａ，２ｂ  手挿入部ループ、２ａ，２ｂ  手挿入部ループ、３，４  手首隣接接続部、３ａ，３ｂ，４ａ，４ｂ  手首隣接部ループ、５  ウエブ部、５ａ  ウエブ開口部、５ｂ  手甲側ウエブ部、５ｃ  縫合用突起部、５ｄ  ウエブ縫合部、５ｐ  手掌側ウエブ部、６  革紐、８  穴、９  ループ貫通紐、１０  グローブ、１０ｂ  手甲革、１０ｐ  手掌側配置革、１０ｐ１  捕球面革、１０ｐ２  手掌革、ｆ１  親指袋、ｆ２  人差指袋、ｆ３  中指袋、ｆ４  薬指袋、ｆ５  小指袋。
【図１】
2015066407.tif 000003
【図２】
2015066407.tif 000004
【図３】
2015066407.tif 000005
【図４】
2015066407.tif 000006
【図５】
2015066407.tif 000007
【図６】
2015066407.tif 000008
【図７】
2015066407.tif 000009
【図８】
2015066407.tif 000010
【図９】
2015066407.tif 000011
【図１０】
2015066407.tif 000012
【図１１】
2015066407.tif 000013
【図１２】
2015066407.tif 000014
【図１３】
2015066407.tif 000015
【図１４】
2015066407.tif 000016
【図１５】
2015066407.tif 000017
【図１６】
2015066407.tif 000018
【図１７】
2015066407.tif 000019
【図１８】
2015066407.tif 000020
【図１９】
2015066407.tif 000021
【図２０】
2015066407.tif 000022
【図２１】
2015066407.tif 000023
【図２２】
2015066407.tif 000024
【図２３】
2015066407.tif 000025
【図２４】
2015066407.tif 000026
【図２５】
2015066407.tif 000027
【図２６】
2015066407.tif 000028
【図２７】
2015066407.tif 000029
【図２８】
2015066407.tif 000030
【図２９】
2015066407.tif 000031
【図３０】
2015066407.tif 000032
【図３１】
2015066407.tif 000033
【図３２】
2015066407.tif 000034
【図３３】
2015066407.tif 000035
【図３４】
2015066407.tif 000036
【図３５】
2015066407.tif 000037
【図３６】
2015066407.tif 000038
【図３７】
2015066407.tif 000039
【図３８】
2015066407.tif 000040